(57)【特許請求の範囲】
【請求項１】
扉の施錠に用いられるラッチ錠であって、  前記扉に該扉の一端面から内方へ延在して装着されるケーシングと、
前記ケーシング内に該ケーシングの延在方向に移動可能に設けられたベース部材と、
前記ベース部材に該ベース部材の移動方向にスライド可能にかつ軸回りに回転可能に貫通支持されたロッドと、
前記ロッドの一端に連結された支持ブロックと、
前記支持ブロックの先端に前記扉の一端面から水平に突出する施錠位置と開錠可能な反転位置間で揺動可能に支持されたラッチと、
前記支持ブロックに前記ロッドの軸線方向に移動可能に設けられ、前記ラッチを反転不能な施錠位置にロックするラッチロック部材と、
前記ケーシング内に設けられ、前記ラッチが施錠位置に保持される方向に前記ベース部材及び前記ラッチロック部材を付勢するとともに前記ラッチを前記扉の一端面から突出する方向に付勢するばね部材と、
前記ロッドに該ロッドの軸線方向と直角な方向に移動可能に設けられ、前記ベース部材と係脱されるとともに該ベース部材と係合することによりベース部材の移動を規制して前記ラッチを施錠状態にロックする可動ストッパと、
前記扉に該扉に対しプッシュ及びプル方向に揺動可能に設けられた開錠用ハンドルと、
前記ケーシング内に前記開錠用ハンドルのプッシュまたはプル操作に連動して前記ベース部材と平行な方向に移動可能に設けられ、前記可動ストッパを前記ベース部材に対し係脱する方向に動作させる同調部材と、
前記同調部材を前記可動ストッパが前記ベース部材に係合される中立位置に自動的に復帰できるように付勢する付勢手段と、
を備えることを特徴とする扉用ラッチ錠。
【請求項２】
前記可動ストッパは、前記ケーシング内に揺動可能に設けた係合保持部材を介して前記同調部材に当接され、前記同調部材中立位置にある時  前記係合保持部材により前記可動ストッパの前記ベース部材への係合を保持し、かつ前記可動ストッパを前記係合保持部材に圧接させる方向に付勢するばね部材を備えることを特徴とする請求項１記載の扉用ラッチ錠。
【請求項３】
前記ラッチが突出される前記ケーシングの前面壁箇所にラッチの向きを変更するラッチ保持部材を前記ロッドの軸線回りに回転可能に設け、このラッチ保持部材の中心部に前記ラッチが前記ロッドの軸線方向にスライド可能に貫通支持され、前記前面壁に重ねて前記扉に固定されるフロント板に前記ラッチが前後方向にのみ移動できるように規制する角穴を形成したことを特徴とする請求項１または２記載の扉用ラッチ錠。
【請求項４】
前記開錠用ハンドルは、前記同調部材に臨む前記扉の室内側と室外側の内外両面個所に支持座及び該支持座に揺動可能に設けた揺動部材によりプッシュ及びプル方向に揺動可能に取り付けられ、この揺動部材から前記同調部材に向け延在する係合片を前記同調部材に係合したことを特徴とする請求項１項記載の扉用ラッチ錠。
【請求項５】
前記ベース部材と係合することにより前記ラッチを施錠位置に保持し、かつ前記ベース部材から離脱することにより前記ラッチの反転及び没入動作を可能にする施錠用ロック部材が前記ケーシング内に移動可能に設けられ、前記施錠用ロック部材を前記ベース部材と係合するロック位置と前記ベース部材から離脱するアンロック位置に抜き差し自在にする角穴付きカムが前記ケーシング内に回転可能に設けられていることを特徴とする請求項１ないし４項の何れか１項記載の扉用ラッチ錠。
【発明の詳細な説明】
【０００１】
【発明の属する技術分野】
本発明は、錠付き扉構造及び扉用のラッチ錠に関し、さらに詳しくは、回転式レバーハンドル型ラッチ錠が装着できるように構成された扉に対して、該扉の錠装着形状を変更することなく、前記回転式レバーハンドル型ラッチ錠をこれと形態の異なるプッシュプル型ラッチ錠に交換できるようにした錠付き扉構造及び該扉に適用されるプッシュプル型ラッチ錠の改良に関するものである。
【０００２】
【従来の技術】
従来から、ノブやレバーを回動することによりラッチをケーシング内に没入させて開錠するレバーハンドル型の扉用ラッチ錠、またはレバーを押したり引いたりすることによりラッチをケーシング内に没入させて開錠するプッシュプル型の扉用ラッチ錠が知られている。レバーハンドル型の扉用ラッチ錠は、健常者が使用することを前提として作られたものである。
【０００３】
また、プッシュプル型の扉用ラッチ錠としては、例えば特開平１１−５０７０７号公報に示すものが知られている。この種のラッチ錠は、扉内にその側端面から内方に向け延在して装着されるケーシングの内部に反転かつ進退可能に設けられた反転型のラッチ、このラッチを前進位置（ケーシングのフロント板から突出する位置）にロックするロック部材及びロック部材を動作させるスライド部材等を有する錠機構と、扉のプル側（室内側）及びプッシュ側（室外側）の錠機構と対向する面にそれぞれ設けられたハンドル支持用プレートと、ラッチをケーシング内に没入させて開錠するプル側のハンドル及びプッシュ側のハンドル等を備える。
【０００４】
プル側のハンドルは扉の面に対して斜め上方に延在して配置されるもので、把手部が取り付けられる操作杆と、この操作杆の一端に連接されケーシングを貫通して錠機構のスライド部材に係合される水平杆を有し、この操作杆と水平杆との連接基部はプル側ハンドル支持用プレートに突設した支持部に前後方向に揺動可能に支承されている。また、プッシュ側のハンドルは扉の面に対して斜め上方に延在して配置されるもので、把手部が取り付けられる操作杆と、この操作杆の一端に連接されケーシングを貫通して錠機構のスライド部材に係合される水平杆を有し、この操作杆と水平杆との連接基部はプッシュ側ハンドル支持用プレートに突設した支持部に前後方向に揺動可能に支承されている。
【０００５】
このような従来のラッチ錠において、プル側のハンドルを手前に引くか、またはプッシュ側のハンドルを押すと、その水平杆の揺動によりスライド部材がスライド動作し、かつロック部材が動作してラッチのロックを解除し開錠する。この状態で扉を開く方向に操作すれば、ラッチは反転されるとともに後退動作してケーシング内に没入されるため、扉を開けることができる。
【０００６】
【発明が解決しようとする課題】
このような従来のラッチ錠におけるハンドルは、ハンドル支持用プレートに突設した支持部に揺動可能に支承されるレバー式構造であるため、ハンドルの支持部が扉の表面から大きく突出し、ハンドルのデザイン的な自由度が損なわれるほか、ハンドルの水平杆が錠機構のスライド部材に対して挿通される扉の箇所に形成された貫通穴が扉の表面に露出されてしまうことにより、扉の意匠的効果も損なわれるという不具合があった。
【０００７】
また、従来の扉においては、これに回転式のレバーハンドル型ラッチ錠が装着できるように構成されている場合、この回転式レバーハンドル型ラッチ錠に代えて、これと形態の異なるプッシュプル型ラッチ錠に交換しようとしても簡単に交換することができない。交換するには、扉の錠装着箇所をプッシュプル型ラッチ錠に合わせて再加工する必要がある。また、再加工程度の修正では交換できない場合はプッシュプル型ラッチ錠に加えて扉ごと交換しなければならない。また、回転式のレバーハンドル型ラッチ錠は健常者が使用することを前提として作られたものであるため、手の不自由な者には使いにくいという問題がある。
【０００８】
本発明は、上記のような従来の問題を解決するためになされたもので、その目的は、扉に何らの構造的変更を加えることなく、回転式レバーハンドル型のラッチ錠及びプッシュプル型のラッチ錠を相互に容易に互換することができる錠付き扉構造を提供することにある。また、本発明の他の目的は、ラッチ部分のケーシングへの組み付けを容易にし、併せて、ハンドル部分のデザイン的自由度とハンドルの互換性を実現できるとともに扉の意匠的効果を向上でき、かつ手の不自由な者でも容易に扉を開けることができるラッチ錠を提供することにある。
【００１０】
【課題を解決するための手段】
上記目的を達成するための本発明は、扉の施錠に用いられるラッチ錠であって、前記扉に該扉の一端面から内方へ延在して装着されるケーシングと、前記ケーシング内に該ケーシングの延在方向に移動可能に設けられたベース部材と、前記ベース部材に該ベース部材の移動方向にスライド可能にかつ軸回りに回転可能に貫通支持されたロッドと、前記ロッドの一端に連結された支持ブロックと、前記支持ブロックの先端に前記扉の一端面から水平に突出する施錠位置と開錠可能な反転位置間で揺動可能に支持されたラッチと、前記支持ブロックに前記ロッドの軸線方向に移動可能に設けられ、前記ラッチを反転不能な施錠位置にロックするラッチロック部材と、前記ケーシング内に設けられ前記ラッチが施錠位置に保持される方向に前記ベース部材及び前記ラッチロック部材を付勢するとともに前記ラッチを前記扉の一端面から突出する方向に付勢するばね部材と、前記ロッドに該ロッドの軸線方向と直角な方向に移動可能に設けられ、前記ベース部材と係脱されるとともに該ベース部材と係合することによりベース部材の移動を規制して前記ラッチを施錠状態にロックする可動ストッパと、前記扉に該扉に対しプッシュ及びプル方向に揺動可能に設けられた開錠用ハンドルと、前記ケーシング内に前記開錠用ハンドルのプッシュまたはプル操作に連動して前記ベース部材と平行な方向に移動可能に設けられ、前記可動ストッパを前記ベース部材に対し係脱する方向に動作させる同調部材と、前記同調部材を前記可動ストッパが前記ベース部材に係合される中立位置に自動的に復帰できるように付勢する付勢手段と、を備えることを特徴とする。
【００１１】
したがって、本発明の扉用ラッチ錠においては、ベース部材、ロッド、支持ブロック、ラッチ及びラッチロック部材をユニット化できるから、ラッチ部分のケーシングへの組み付けを容易にする。
また、本発明の扉用ラッチ錠においては、前記開錠用ハンドルを前記同調部材に臨む前記扉の室内側と室外側の内外両面個所に支持座及び該支持座に揺動可能に設けた揺動部材によりプッシュ及びプル方向に揺動可能に設け、この揺動部材から前記同調部材に向け延在する係合片を前記同調部材に係合する構成にすることにより、ハンドル部分のデザイン的自由度とハンドルの互換性を実現できるとともに扉の意匠的効果を向上でき、かつ、プッシュプル式のハンドルに加えて、前記同調部材を前記可動ストッパが前記ベース部材に係合される中立位置に自動的に復帰できるように付勢する付勢手段を備えることにより、手の不自由な者でも容易に扉を開けることができる。
【００１２】
【発明の実施の形態】
以下、本発明にかかる錠付き扉構造及び扉用ラッチ錠の実施の形態について、図面を参照して説明する。図１は本発明の錠付き扉構造において、扉に回転式レバーハンドル型のラッチ錠またはプッシュプル型のラッチ錠を挿着する場合の実施の形態を示す分解斜視図、図２は本発明におけるプッシュプル型ラッチ錠とプッシュプル式ハンドルとの関係を示す分解斜視図である。
【００１３】
図１において、１は開閉可能に構成された扉、２は回転式レバーハンドル型のラッチ錠、３はプッシュプル型のラッチ錠であり、回転式レバーハンドル型ラッチ錠２のケーシング２Ａとプッシュプル型ラッチ錠３のケーシング３Ａは同一寸法及び同一の外形形状に構成されている。扉１には、回転式レバーハンドル型ラッチ錠２のケーシング２Ａの外形形状及びプッシュプル型ラッチ錠３のケーシング３Ａの外形形状に対応する共通の錠挿着用空所４が扉１の一端面１Ａから内方へ水平に延在して形成されている。また、錠装着用空所４の奥部と対向する扉１の箇所に扉１の厚さ方向に貫通する各ラッチ錠共通のハンドル取付穴５が形成されている。さらに、錠装着用空所４の奥部と対向する扉１の箇所に扉１の厚さ方向に貫通する各ラッチ錠共通のロック及びアンロック用の操作レバー取付穴６が形成されている。
【００１４】
上記回転式レバーハンドル型ラッチ錠２のケーシング２Ａ内には、扉１の室内側及び室外側に対応する回転式の開錠用レバーハンドル７、８で操作されるラッチハブ２Ｂとロック及びアンロック用の操作レバー９（サムターン）で操作される角穴付きカム２Ｃがそれぞれ配設されている。また、上記プッシュプル型ラッチ錠３のケーシング３Ａ内には、プッシュプル用の開錠用ハンドル１４、１９（図２参照）で操作される同調部材３９とロック及びアンロック用の操作レバー９で操作される角穴付きカム４４がそれぞれ配設されている。
【００１５】
図１において、１０は扉の室内側からハンドル取付穴５に取り付けられるドーナツ状のハンドル支持座であり、このハンドル支持座１０には、回転式レバーハンドル型ラッチ錠２のケーシング２Ａを貫通して扉の室外側へ臨む一対の連結ロッド１０１が鉛直に突設されている。また、ハンドル支持座１０の中心部には室内側開錠用レバーハンドル７の基部７１が回転可能に係合され、この基部７１の中心には、上記回転式レバーハンドル型ラッチ錠２のラッチハブ２Ｂに係合される角軸７２が突設されている。
【００１６】
また、図１において、１１は扉の室外側からハンドル取付穴５に取り付けられるドーナツ状のハンドル支持座であり、このハンドル支持座１１には、上記ハンドル支持座１０の連結ロッド１０１に対応する一対のネジ挿通孔１１１が形成され、このネジ挿通孔１１１から挿通されるネジ（図示せず）を連結ロッド１０１に螺合して締め付けることにより、両ハンドル支持座１０及び１１を扉に固定できるように構成されている。また、ハンドル支持座１１の中心部には室外側開錠用レバーハンドル８の基部８１が回転可能に係合され、この基部８１の中心には、前記角軸７２が係合する角穴（図示せず）が形成されている。
【００１７】
図２において、１２は扉の室内側からハンドル取付穴５（図１参照）に取り付けられるドーナツ状のハンドル支持座であり、このハンドル支持座１２には、プッシュプル型ラッチ錠３のケーシング３Ａを貫通して扉の室外側へ臨む一対の連結ロッド１２１が鉛直に突設されている。上記ハンドル支持座１２の中心穴１２２には揺動部材１３が挿入され、この揺動部材１３は該揺動部材１３及びハンドル支持座１２を直径方向に貫通する軸ピン１３Ａによりハンドル支持座１２に揺動可能に支持されている。また、揺動部材１３の一端にはプッシュプル式の開錠用ハンドル１４が交換可能に取り付けられる軸部１３１がハンドル支持座１２から外方へ突出して設けられ、揺動部材１３の他端には、後述するプッシュプル型ラッチ錠３の同調部材３９の係合ピン３９４と係合する係合片１３２が突設されている。１５はハンドル支持座１０の外周囲を覆う装飾用カバーであり、１４１は開錠用ハンドル１４のボス部１４２を軸部１３１に固定するための締め付けネジである。
【００１８】
また、図２において、１６は扉の室外側からハンドル取付穴５（図１参照）に取り付けられるドーナツ状のハンドル支持座であり、このハンドル支持座１６には、上記ハンドル支持座１２の連結ロッド１２１に対応する一対のネジ挿通孔１６１が形成され、このネジ挿通孔１６１から挿通されるネジ（図示せず）を連結ロッド１２１に螺合して締め付けることにより、両ハンドル支持座１２及び１６を扉に固定できるように構成されている。上記ハンドル支持座１６の中心穴１６２には揺動部材１７が挿入され、この揺動部材１７は該揺動部材１７及びハンドル支持座１６を直径方向に貫通する軸ピン１７Ａにより揺動可能に支持されている。また、揺動部材１７の一端にはプッシュプル式の開錠用ハンドル１９が交換可能に取り付けられる軸部１７１がハンドル支持座１６から外方へ突出して設けられ、揺動部材１７の他端には、後述するプッシュプル型ラッチ錠３の同調部材３９の係合ピン３９４と係合する係合片１７２が突設されている。２０はハンドル支持座１６の外周囲を覆う装飾用カバーであり、１９１は開錠用ハンドル１９のボス部１９２を軸部１７１に固定するための締め付けネジである。
【００１９】
このような錠付きの扉構造において、扉１の錠挿着用空所４に回転式レバーハンドル型のラッチ錠２が挿着された場合は、この回転式レバーハンドル型ラッチ錠２に対応する開錠用ハンドル７、８がハンドル取付穴５にそれぞれのハンドル支持座１１、１２により回転可能に取り付けられる。これにより、開錠用ハンドル７の角軸７２が回転式レバーハンドル型ラッチ錠２のラッチハブ２Ｂ及び開錠用ハンドル８の基部８１の裏面にある角穴に係合される。したがって、開錠用ハンドル７または８を回転操作すれば、回転式レバーハンドル型ラッチ錠２は開錠され、扉を開くことができる。また、扉１に組み付けたロック及びアンロック用の操作レバー（サムターン）９を操作することにより角穴付きカム２Ｃを回転すれば、回転式レバーハンドル型ラッチ錠２をロックまたはアンロックすることができる。
【００２０】
また、扉１の錠挿着用空所４に回転式レバーハンドル型のラッチ錠２に代えてプッシュプル型ラッチ錠３が挿着された場合は、このプッシュプル型ラッチ錠３に対応する開錠用ハンドル１４、１９がハンドル取付穴５にそれぞれのハンドル支持座１２、１６及び揺動部材１３、１７によりプッシュプル方向に揺動可能に取り付けられる。これにより、揺動部材１３、１７の係合片１３２、１７２が同調部材３９に係合される。したがって、開錠用ハンドル１４、１９をプッシュまたはプル操作すれば、プッシュプル型ラッチ錠３は開錠され、扉を開くことができる。また、扉１に組み付けたロック及びアンロック用の操作レバー９（サムターン）を操作することにより角穴付きカムを回転すれば、プッシュプル型ラッチ錠３をロックまたはアンロックすることができる。
【００２１】
このような本実施の形態による錠付き扉構造によれば、扉１に何らの構造的変更を加えることなく、回転式レバーハンドル型のラッチ錠２及びプッシュプル型のラッチ錠３を相互に容易に互換することができる。
【００２２】
次に、本発明にかかる扉用ラッチ錠の実施の形態について図面を参照して説明する。図３は本発明の一実施の形態における扉用ラッチ錠全体の構成を示す縦断側面図、図４は図３のＡ−Ａに沿う断面図、図５は本発明の一実施の形態における扉用ラッチ錠の分解斜視図である。図３及び図４において、２１は扉枠であり、扉１の前端面１ａと対向する扉枠２１の端面２１Ａには凹部２１Ｂが形成され、この凹部２１Ｂにはその内面及び周辺箇所を覆うようにして、後述するプッシュプル型ラッチ錠３のラッチが係脱されるストライク金具２２が取り付けられている。
【００２３】
前記プッシュプル型ラッチ錠３は、図３〜図５に示すように、ラッチ錠機構を収容するケーシング３１（図１、図２のケーシング３Ａと同一）、ベース部材３２、ロッド３３、支持ブロック３４、ラッチ３５、ラッチロック部材３６、ばね部材３７、可動ストッパ３８、同調部材３９、付勢手段４０、係合保持部材４１、ラッチ保持部材４２、施錠用ロック部材４３、角穴付きカム４４等を備える。
【００２４】
前記ケーシング３１は、図３〜図５に示すように、ストライク金具２２と相対向する扉１の個所にその端面１ａから横方向に延在して形成した錠装着用空所４内に挿着できるように成形された扁平な箱型を呈している。このケーシング３１は、四周側面が閉鎖され前後の一面が開放された箱型の本体部３１１と、この本体部３１１の開放面を閉鎖する板材３１２と、本体部３１１の扉１への取り付けを兼ねた前面壁３１１Ａに重ね合わされるフロント板３１３から構成され、前面壁３１１Ａの中央部には前記ラッチ保持部材４２が回転可能に係合される穴３１１Ｂが形成されている。また、フロント板３１３の前記穴３１１Ｂと対向する箇所にラッチ３５が前後方向にのみ移動できるように規制する角穴３１３Ａが形成されている。４５はケーシング３１及びフロント板３１３を扉１に固定するための木ネジである。  板材３１２は本体部３１１内に立設した複数の支柱３１５に図示省略したネジにより締め付けることで本体部３１１に固定される。
【００２５】
前記ベース部材３２は、図３及び図５に示すように、細幅の金属板材の両端を同一方向に直角に折り曲げることにより構成され、このベース部材３２はケーシング３１内の上下方向中間箇所に位置して、ケーシング３１の延在方向（図３の左右方向）に移動可能に配設されている。前記ロッド３３は、ベース部材３２の移動方向の長さより十分に長い長さを有し、このロッド３３はベース部材３２の両端折り曲げ片３２１に形成した孔３２２に挿通することにより、ベース部材３２の移動方向にスライド可能にかつ軸回りに回転可能に貫通支持される。前記支持ブロック３４はロッド３３の一端にピン４６により連結され、この支持ブロック３４の先端にはラッチ３５がピン４７により、ケーシング３１のフロント板３１３の角穴３１３Ａから外方へ水平に突出する施錠位置と開錠可能な反転位置間で揺動可能に連結されている。
【００２６】
前記ラッチロック部材３６は、図３及び図５に示すように、金属板材をコ字状に折り曲げ加工することにより構成され、そして、このラッチロック部材３６は、支持ブロック３４の連結ピン４７の挿通方向の両側面を挟持するようにして支持ブロック３４にその後端側から係合され、さらに、支持ブロック３４の後端と対向するラッチロック部材３６の片３６１にはロッド３３が貫通されている。これにより、ラッチロック部材３６は支持ブロック３４にロッド３３の軸線方向に移動可能に組み付けられるとともにラッチロック部材３６の前端縁３６２はラッチ３５の後端縁３５１に当接され、ラッチ３５を反転不能な施錠位置にロックできる構成になっている。
【００２７】
前記ばね部材３７は、図３〜図５に示すように、ラッチ３５が施錠位置に保持される方向にベース部材３２及びラッチロック部材３６を付勢するとともにラッチ３５をケーシング３１のフロント板３１３の角穴３１３Ａから外方へ突出する方向に付勢するものであり、このばね部材３７はベース部材３２の折り曲げ片３２１とケーシング３１の後面壁３１４間に介在されている。前記可動ストッパ３８は、図３及び図５に示すように、ベース部材３２に設けた係止部３２３と係脱されるとともに係止部３２３と係合することによりベース部材３２の移動を規制してラッチ３５を施錠状態にロックするもので、金属板材をコ字状に折り曲げ加工することにより構成され、この可動ストッパ３８はロッド３３を挟んでベース部材３２と直交する方向に移動可能に配置されており、そして、可動ストッパ３８の先端３８１がベース部材３２の係止部３２３と係脱される構成になっている。
【００２８】
また、ベース部材３２の両折り曲げ片３２１間にストッパ保持部材３８Ａが配置されている。このストッパ保持部材３８Ａは金属板材をコ字状に折り曲げ加工することにより構成され、この両折り曲げ片３８Ａ１に形成した孔３８Ａ２にロッド３３を挿通し、かつロッド３３に設けた止めリング３８Ｂとベース部材３２の一方の折り曲げ片３２１によりロッド３３の長手方向の移動が規制される構成になっている。また、ストッパ保持部材３８Ａと可動ストッパ３８間には、可動ストッパ３８の先端縁３８１がベース部材３２の係止部３２３と係合する方向に付勢するばね部材４８が介在されている。また、ベース部材３２の一方の折り曲げ片３２１とストッパ保持部材３８Ａの折り曲げ片３８Ａ１間には両者の衝突音を緩和するゴムシート４９が介在されている。
【００２９】
前記同調部材３９は、図３及び図５に示すように、開錠用ハンドル１４、１９をプッシュまたはプル操作に連動して、可動ストッパ３８をベース部材３２の係止部３２３に対し係脱する方向に動作させるもので、ケーシング３１内の下部箇所においてベース部材３２と平行な方向に移動可能に設けられている。前記付勢手段４０は、図３及び図５に示すように、同調部材３９を可動ストッパ３８がベース部材３２の係止部３２３に係合される中立位置に自動的に復帰できるように付勢するもので、同調部材３９とケーシング３１の下面壁３１１Ｃ間に位置する箇所のケーシング３１内に、同調部材３９に突設した突部３９１を挟んで同調部材３９と平行な方向に移動可能に設けた一対の可動ブロック４０１と、この各可動ブロック４０１を同調部材３９の突部３９１に圧接させる方向に付勢する一致のばね４０２とから構成されている。
【００３０】
前記係合保持部材４１は、同調部材３９が中立位置にある状態で、ラッチ３５を含めたベース部材３２、ロッド３３及び可動ストッパ３８等がケーシング３１内を後退動作された時、可動ストッパ３８のベース部材３２の係止部３２３への係合を保持し、かつ、図２に示す開錠用ハンドル１４、１９のプッシュまたはプル操作による同調部材３９の移動に連動して可動ストッパ３８をベース部材３２の係止部３２３に対し係脱させ、ベース部材３２をロックまたは移動可能にするものであり、図３及び図５に示すように、同調部材３９と可動ストッパ３８の先端に設けた係合部３８２との間に介在されている。この係合保持部材４１の一端はケーシング３１に可動ストッパ３８の移動方向に揺動可能に支持され、その揺端には可動ストッパ３８の係合部３８２と当接する筒部４１１が形成されている。また、同調部材３９が中立位置にある時に筒部４１１と対向する同調部材３９の箇所には、筒部４１１が入り込んで可動ストッパ３８の先端３８１をベース部材３２の係止部３２３に係合させるための凹部３９２が形成されている。また、筒部４１１が凹部３９２より高い箇所３９３に当接している時は可動ストッパ３８の先端３８１がベース部材３２の係止部３２３から離脱して、ベース部材３２が自由に移動できるようになっている。
【００３１】
前記ラッチ保持部材４２は、ケーシング３１の前面壁３１１Ａから外方へ突出するラッチ３５の向きを、図４に示す状態から図１７に示す状態に方向転換するものであり、このラッチ保持部材４２はケーシング３１の前面壁３１１Ａに形成した穴３１１Ｂにロッド３３の軸線回りに回転可能に取り付けられている。また、ラッチ保持部材４２の中心部には、ラッチ３５をロッド３３の軸線方向にスライド可能に嵌合される角穴４２１が形成されている。４２２はラッチ保持部材４２に設けた、ピン４７の抜け止め片である。
【００３２】
前記施錠用ロック部材４３は、図３及び図５に示すように、ベース部材３２と係合することによりラッチ３５を施錠位置に保持し、かつベース部材３２から離脱することによりラッチ３５の反転及び没入動作を可能にするもので、ケーシング３１内の奥部箇所にベース部材３２の移動方向と直角な方向に移動可能に設けられている。また、施錠用ロック部材４３は、ベース部材３２の後端側の折り曲げ片３２１に係脱される係止部４３１を有し、さらに、前記角穴付きカム４４に係合する係合部４３２を備えている。
【００３３】
前記角穴付きカム４４は、図３及び図５に示すように、施錠用ロック部材４３をその係合片４３１がベース部材３２の後端側の折り曲げ片３２１に係脱される方向に動作させるもので、施錠用ロック部材４３の係合部４３２に近接してケーシング３１内に回転可能に設けられ、この角穴付きカム４４に形成されたカム部４４１は係合部４３２に係合されている。また、角穴付きカム４４は、ケーシング３１内に設けたトーションばね５０により、そのカム部４４１が係合部４３２から離間する方向に付勢される構成になっている。
【００３４】
次に、上記のように構成された本実施の形態における扉用ラッチ錠の動作について図３〜図１７を参照して説明する。図３及び図４は扉１が閉められることにより、ラッチ錠３のラッチ３５が扉枠２１のストライク金具２２に係合され、施錠された状態を示している。また、この時の開錠用ハンドル１４、１９は図６に示すように扉１の面と略平行になっている。かかる状態において、扉１を開けるに際し、開錠用ハンドル１４または１９を付勢手段４０に抗して図７の矢印Ａ方向にプル操作すると、揺動部材１３または１７が軸ピン１３Ａまたは１７Ａを中心にして揺動されるため、同調部材３９は図８の矢印Ｂ方向に移動される。これに伴い、係合保持部材４１の筒部４１１が同調部材３９の凹部３９２から離脱して、凹部３９２より高い箇所３９３に乗り上げると、可動ストッパ３８が図８の矢印Ｃ方向に移動され、その先端縁３８１がベース部材３２の係止部３２３から外れるとともに、ラッチ３５のロックを解除してラッチ３５を反転動作可能にする。
【００３５】
この状態で、扉１を開錠用ハンドル１４または１９と共に図９の矢印Ｄ方向に引くと、ラッチ３５は軸ピン４７を支点にして図９の矢印Ｅ方向に反転され始めるとともに、ラッチ３５を含むベース部材３２及びロッド３３はばね部材３７に抗して図８の矢印Ｆ方向に移動する。そして、扉１の開き動作につれてラッチ３５がストライク金具２２の凹所部分から外れると、ラッチ３５を含めたベース部材３２、ロッド３３及び可動ストッパ３８等はばね部材３７に抗して図１０の矢印Ｆ方向に更に移動されるため、ラッチ３５は図１０および図１１に示すようにケーシング３１内に完全に没入される。これにより、扉１を開くことができる。また、扉１が完全に開かれた状態で、開錠用ハンドル１４または１９から手を離すと、開錠用ハンドル１４または１９は付勢手段４０により図６の位置に復帰されるとともに、ラッチ３５を含めたベース部材３２、ロッド３３及び可動ストッパ３８等はばね部材３７により図１２及び図１３に示す状態に復帰され、同時にラッチ３５はラッチロック部材３６とばね部材３７によりフロント板３１３の角穴３１３Ａから外方へ水平に突出される。
【００３６】
また、開錠用ハンドル１４または１９をプッシュ操作した場合は、開錠用ハンドル１４または１９は図１４に示すように矢印Ｇ方向に回動される。これに伴い同調部材３９は図１５の矢印Ｈ方向に移動されるとともに、係合保持部材４１の筒部４１１が同調部材３９の凹部３９２から離脱して、凹部３９２より高い箇所３９３に乗り上げる。これにより、可動ストッパ３８が図１５の矢印Ｃ方向に移動され、その先端縁３８１がベース部材３２の係止部３２３から外れ、同時にラッチ３５のロックを解除してラッチ３５を反転動作可能にする。以下、上記図８〜図１３に示す場合と同様に動作する。
【００３７】
次に、図１６により施錠状態のラッチ錠３をロックする場合の動作について説明する。この場合は、図１６に示すように、角穴付きカム４４を図示省略の操作レバーにより時計回り方向に回転する。これに伴い、角穴付きカム４４のカム部４４１が施錠用ロック部材４３の係合部４３２に係合して、施錠用ロック部材４３全体を図１６の矢印Ｊ方向に移動させる。そして、角穴付きカム４４が時計回り方向に回動端に達すると、施錠用ロック部材４３の係止部４３１がベース部材３２の後端側の折り曲げ片３２１に係合される。これにより、ラッチ３５を施錠位置に保持することができる。
【００３８】
上記のような本実施の形態に示す扉用ラッチ錠３によれば、ベース部材３２、ロッド３３、支持ブロック３４、ラッチ３５、ラッチロック部材３８及びそのストッパ保持部材３８Ａ等をユニット化できるから、これらラッチ部分のケーシング３１への組み付けを容易に行うことができる。
また、開錠用ハンドル１４、１９を同調部材３９に臨む扉１の室内側と室外側の内外両面個所にハンドル支持座１２、１６及びこの支持座１２、１６に揺動可能に設けた揺動部材１３、１７によりプッシュ及びプル方向に揺動可能に設け、この揺動部材１３、１７から同調部材３９に向け延在する係合片１３２、１７２を同調部材３９に係合する構成にし、かつ開錠用ハンドル１４、１９を揺動部材１３、１７の軸部１３１、１７１に交換可能に取り付ける構成にしたから、ハンドル部分のデザイン的自由度とハンドルの互換性を容易に実現できるとともに、ハンドル取付穴５はハンドル支持座１２、１６により覆われるから、ハンドル取付穴５が扉１の表面に現れることがなく、扉１の意匠的効果を向上でき、かつ、プッシュプル式のハンドルに加えて、同調部材３９を可動ストッパ３８がベース部材３２に係合される中立位置に自動的に復帰できるように付勢する付勢手段手４０を備えるので、手の不自由な者でも容易に扉を開けることができる。
【００３９】
また、本実施の形態に扉用ラッチ錠によれば、ケーシング３１の前面壁３１１Ａに形成した穴３１１Ｂにラッチ保持部材４２を回転可能に取り付け、フロント板３１３を取り除いた状態で、ラッチ保持部材４２を図３の矢印Ｉ方向に１８０度回転することにより、ケーシング３１の前面壁３１１Ａから外方へ突出するラッチ３５の向きを図１７に示す状態に方向転換することができる。これにより、扉１の開ける方向が変わっても、同一機種のラッチ錠３を利用できる。
【００４０】
なお、上記の実施の形態におけるラッチ錠では、扉１の室内側と室外側の両方に開錠用ハンドル１４、１９を設ける場合について説明したが、本発明これに限定されず、扉１の室内側または室外側の一方に開錠用ハンドルを設ける方式のものでもよい。
【００４１】
【発明の効果】
以上の説明から明らかなように本発明の錠付き扉構造によれば、扉に何らの構造的変更を加えることなく、回転式レバーハンドル型のラッチ錠及びプッシュプル型のラッチ錠を相互に容易に互換することができる。これにより、扉を開閉する者の状況や使用目的等に応じて、同一の扉に回転式レバーハンドル型のラッチ錠またはプッシュプル型のラッチ錠扉を任意に選択して使用することができる。
【００４２】
また、本発明の扉用ラッチ錠によれば、ベース部材、ロッド、支持ブロック、ラッチ及びラッチロック部材をユニット化できるから、ラッチ部分のケーシングへの組み付けを容易にする。
また、本発明の扉用ラッチ錠においては、前記開錠用ハンドルを前記同調部材に臨む前記扉の室内側と室外側の内外両面個所に支持座及び該支持座に揺動可能に設けた揺動部材によりプッシュ及びプル方向に揺動可能に設け、この揺動部材から前記同調部材に向け延在する係合片を前記同調部材に係合する構成にすることにより、ハンドル部分のデザイン的自由度とハンドルの互換性を実現できるとともに扉の意匠的効果を向上でき、かつ、プッシュプル式のハンドルに加えて、前記同調部材を前記可動ストッパが前記ベース部材に係合される中立位置に自動的に復帰できるように付勢する付勢手段手を備えることにより、手の不自由な者でも容易に扉を開けることができる。
また、本発明の扉用ラッチ錠によれば、ケーシングの前面壁にラッチ保持部材を回転可能に取り付け、このラッチ保持部材を回転することにより、ケーシングの前面壁から外方へ突出するラッチの向きをできる構成にしたので、扉の開ける方向が変わっても、同一機種のラッチ錠を利用することができる。
【図面の簡単な説明】
【図１】本発明の錠付き扉構造において、扉に回転式レバーハンドル型のラッチ錠またはプッシュプル型のラッチ錠を挿着する場合の実施の形態を示す分解斜視図である。
【図２】本発明におけるプッシュプル型ラッチ錠とプッシュプル式ハンドルとの関係を示す分解斜視図である。
【図３】本発明の実施の形態における扉用ラッチ錠の全体の構成を示す縦断面図である。
【図４】図３のＡ−Ａに沿う断面図である。
【図５】本発明の実施の形態における扉用ラッチ錠の分解斜視図である。
【図６】本発明の扉用ラッチ錠における開錠用ハンドルの非作動状態を示す説明図である。
【図７】本発明における開錠用ハンドルのプル操作による開錠時の動作状態を示す説明図である。
【図８】本発明における扉用ラッチ錠のプル操作による開錠時の途中の状態を示す説明用縦断側面図である。
【図９】図８のＢ−Ｂ線に沿う断面図である。
【図１０】本発明における扉用ラッチ錠のプル操作による開錠時の途中の状態を示す説明用縦断側面図である。
【図１１】図１０のＣ−Ｃ線に沿う断面図である。
【図１２】本発明における扉用ラッチ錠のプル操作による開錠時の途中の状態を示す説明用縦断側面図である。
【図１３】図１２のＤ−Ｄ線に沿う断面図である。
【図１４】本発明における開錠用ハンドルのプッシュ操作による開錠時の動作状態を示す説明図である。
【図１５】本発明における扉用ラッチ錠のプッシュ操作による開錠時の途中の状態を示す説明用縦断側面図である。
【図１６】本発明における扉用ラッチ錠のラッチをロックした場合の動作状態を示す説明用縦断側面図である。
【図１７】本発明における扉用ラッチ錠のラッチを方向転換した場合の説明用斜視図である。
【符号の説明】
１            扉
２            回転式レバーハンドル型ラッチ錠
３            プッシュプル型ラッチ錠
２Ａ          ケーシング
４            錠挿着用空所
５            ハンドル取付穴
６            操作レバー（サムターン）取付穴
７、８        回転式の開錠用レバーハンドル
１４、１９      プッシュプル用の開錠用ハンドル
１０、１１      ハンドル支持座
１２、１６      ハンドル支持座
１３、１７      揺動部材
３１            ケーシング
３２            ベース部材
３３            ロッド
３４            支持ブロック
３５            ラッチ
３６            ラッチロック部材
３７            ばね部材
３８            可動ストッパ
３９            同調部材
４０            付勢手段
４１            係合保持部材
４２            ラッチ保持部材
４３            施錠用ロック部材
４４            角穴付きカム
【図１】
0004165790.tif 000002
【図２】
0004165790.tif 000003
【図３】
0004165790.tif 000004
【図４】
0004165790.tif 000005
【図５】
0004165790.tif 000006
【図６】
0004165790.tif 000007
【図７】
0004165790.tif 000008
【図８】
0004165790.tif 000009
【図９】
0004165790.tif 000010
【図１０】
0004165790.tif 000011
【図１１】
0004165790.tif 000012
【図１２】
0004165790.tif 000013
【図１３】
0004165790.tif 000014
【図１４】
0004165790.tif 000015
【図１５】
0004165790.tif 000016
【図１６】
0004165790.tif 000017
【図１７】
0004165790.tif 000018